【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
分析物を検出する方法であって、
ナノ粒子を前記分析物に付着させるステップであって、それにより、ナノ粒子−分析物複合体を形成する、付着させるステップと、
既知の液体内で前記複合体に磁場を印加するステップであって、それにより、前記ナノ粒子を磁化する、印加するステップと、
前記磁場が前記ナノ粒子に磁力を加え、前記ナノ粒子が、互いに対して磁力を加えるステップと、
前記磁力が前記複合体の運動をもたらすステップと、
前記複合体が前記磁力に応答して運動を相互に受けるステップと、
前記複合体が相互作用を相互に受けるステップであって、前記相互作用は、前記運動によって高められる、受けることを可能にするステップと、
その後、前記相互作用に関連した測定を行うステップと、
そしてその後、前記測定から、前記分析物がサンプルの中に存在するか決定するステップと、
を含む方法。
【請求項２】
前記分析物は、分子、分子フラグメント、分子複合体、ウィルス、細胞、および細菌の群から選択される請求項１に記載の方法。
【請求項３】
前記相互作用は分子結合反応である請求項１に記載の方法。
【請求項４】
前記磁場は、前記複合体によって占められる領域内で実質的に均一である請求項１に記載の方法。
【請求項５】
前記磁場は、前記複合体によって占められる領域内で実質的に不均一であり、前記磁場は、前記領域内の部分体積内で最も強い請求項１に記載の方法。
【請求項６】
前記複合体は、流体媒体内で初期濃度を有し、前記磁場は、前記ナノ粒子と連携して、前記部分体積の方へ移動するように前記複合体を付勢し、それにより、前記複合体が、前記初期濃度より高い濃度を前記部分体積内で有するようにさせ、前記相互作用は、前記複合体の高い濃度のために、前記部分体積内で加速される請求項５に記載の方法。
【請求項７】
前記ナノ粒子の対は、互いに対して相互磁力を加え、前記相互磁力は、前記複合体が、前記磁場に整列して互いに近づくことを強制し、それにより、反応体が前記磁場に整列して配置される間に、前記相互作用が起こる請求項１に記載の方法。
【請求項８】
前記相互作用は、ナノ粒子と分析物を含む生成物を生成し、前記運動は、前記生成物の特定の形態が生成されるようにさせる請求項１に記載の方法。
【請求項９】
前記生成物の前記特定の形態は、長くかつ実質的に線状の鎖である請求項８に記載の方法。
【請求項１０】
前記相互作用は、ナノ粒子と分析物を含む生成物を生成し、前記運動は、前記生成物の特定の形態の生成を抑制する請求項１に記載の方法。
【請求項１１】
前記生成物の前記特定の形態は、ナノ粒子と分析物の分散累積を含む凝集体である請求項１０に記載の方法。
【請求項１２】
サンプル内のＤＮＡを検出する方法であって、
前記ＤＮＡに対して相補的配列を有するＤＮＡプローブにナノ粒子を結合させるステップであって、それにより、ナノ粒子プローブを作成する、結合させるステップと、
流体内で、前記サンプルを前記ナノ粒子プローブと混合するステップであって、それにより、流体サンプルを形成し、前記ナノ粒子プローブと前記ＤＮＡとの結合を促進させる、混合するステップと、
前記流体サンプルに磁場を印加するステップであって、それにより、前記ナノ粒子を磁化する、印加するステップと、
前記ナノ粒子が磁化される間、前記磁場の存在内で、前記ナノ粒子プローブとＤＮＡの鎖に似た構造を形成するステップと、
前記構造に関連した前記サンプルの特性の測定を行うステップと、
前記測定を比較することで、前記ＤＮＡが存在するかどうかを決定するステップと、
を含む方法。
【請求項１３】
分析物を検出する方法であって、
分析物を常磁性ナノ粒子に結合させるステップであって、それにより、ナノ粒子−分析物複合体を形成する、結合させるステップと、
不均一磁場中で、既知の液体内に前記複合体を設置するステップであって、それにより、最も強い磁場を有する前記不均一磁場の領域内に前記複合体を濃縮させるステップとを含み、
前記複合体を濃縮させることは、前記複合体が互いに結合するプロセスを高め、
前記複合体と前記既知の液体を含むサンプルから信号を励起するステップと、
前記信号の１つまたは複数を解析することによって、前記分析物が、前記サンプル内に存在するかどうかを判定するステップとを含む方法。
【請求項１４】
分析物を検出する方法であって、
分析物を常磁性ナノ粒子に結合させるステップであって、それにより、ナノ粒子−分析物複合体を形成する、結合させるステップと、
均一磁場中で、既知の液体内に前記複合体を設置するステップであって、それにより、前記ナノ粒子を磁化し、前記ナノ粒子間にダイポール−ダイポール力を生成する、設置するステップとを含み、
前記力は、前記複合体が互いに結合するプロセスを高め、
前記複合体と前記既知の液体を含むサンプルから信号を励起するステップと、
前記信号の１つまたは複数を解析することによって、前記分析物が、前記サンプル内に存在するかどうかを判定するステップとを含む方法。
【請求項１５】
前記測定は、前記サンプルの前記Ｔ２の評価をするための磁気共鳴測定であり、前記分析物の存在は、所定値と比較して前記サンプルの前記測定されたＴ２を分析することで決定される請求項１記載の方法。
【請求項１６】
前記測定は、前記サンプルから放出された蛍光光子を検出する光学的測定であり、前記分析物の存在は、前記サンプルから放出された蛍光光子の量を分析することで決定される請求項１記載の方法。
【請求項１７】
前記測定は、前記サンプルから放出された蛍光光子を検出する光学的測定であり、前記分析物の存在は、前記サンプルから放出された蛍光光子の波長を分析することで決定される請求項１記載の方法。
【請求項１８】
前記磁場は、実質的に不均一であり、
前記磁場が最も強い、前記流体サンプルの部分体積内にナノ粒子を引き寄せるステップをさらに備える請求項１２記載の方法。
【請求項１９】
前記磁場は、実質的に均一であり、
前記ナノ粒子間の磁気双極子−双極子力によって、前記ナノ粒子を相互に向けて引っ張るステップをさらに備える請求項１２記載の方法。
【請求項２０】
前記測定は、前記流体サンプルの前記磁気共鳴Ｔ２パラメータを測定するステップを備える請求項１２記載の方法。
【請求項２１】
前記ナノ粒子は、常磁性及び蛍光ナノ粒子を共に含んでおり、前記測定は、前記サンプル内の前記蛍光ナノ粒子から放出された蛍光光子を測定するステップを備える請求項１２記載の方法。
【請求項２２】
前記信号は、磁気共鳴信号である、請求項１３記載の方法。
【請求項２３】
前記信号は、蛍光光子信号である、請求項１３記載の方法。
【請求項２４】
前記信号は、磁気共鳴信号である、請求項１４記載の方法。
【請求項２５】
前記信号は、蛍光光子信号である、請求項１４記載の方法。
【請求項２６】
前記分析物の存在は、前記決定されたＴ２が、前記所定の値より大きいことによって指示される請求項１５に記載の方法。
【請求項２７】
前記所定の値は、前記既知の液体と前記ナノ粒子との組合せのＴ２である請求項１５に記載の方法。
【請求項２８】
前記分析物の存在は、前記決定されたＴ２が、前記所定の値より小さいことによって指示される請求項１５に記載の方法。
【請求項２９】
前記既知の液体と前記ナノ粒子のＴ２を測定することをさらに含む請求項１５に記載の方法。
【請求項３０】
前記Ｔ２パラメータは、前記相互作用を受ける前と、前記相互作用を受けた後に再び測定され、前記Ｔ２値の比較が得られる請求項１５に記載の方法。
【請求項３１】
Ｔ２の増加は、長い、実質的に線状の鎖構造が形成されたことを指示し、Ｔ２の減少は、分散凝集体が形成されたことを指示する請求項３０に記載の方法。